(57)【要約】【課題】室内空間を適した湿度及び温度に素早く調整することができる空気調和システムを提供する。【解決手段】空気調和システム１は、顕熱の交換を行う顕熱交換器３と、空気の湿度及び温度を調整する調湿装置４と、室外空気を顕熱交換器３及び調湿装置４に導く外気流路５と、複数の室内空間Ｓ１〜Ｓ３ごとに対応した第１支流路６０を有し、調湿装置４を通過した空気を顕熱交換器３に導いた後、各第１支流路６０により各室内空間Ｓ１〜Ｓ３に導く給気流路６と、複数の室内空間Ｓ１〜Ｓ３ごとに対応した第２支流路７０を有し、各第２支流路７０により各室内空間Ｓ１〜Ｓ３の空気を取り出して外気流路５に合流させる還気流路７と、を備える。【選択図】図１
2018096664.tif 000002
【特許請求の範囲】
【請求項１】
複数の室内空間の空調を行う空気調和システムであって、
顕熱の交換を行う顕熱交換器と、
空気の湿度及び温度を調整する調湿装置と、
室外の空気を前記顕熱交換器及び前記調湿装置に導く外気流路と、
複数の室内空間ごとに対応した第１支流路を有し、前記調湿装置を通過した空気を前記顕熱交換器に導いた後、各前記第１支流路により各室内空間に導く給気流路と、
複数の室内空間ごとに対応した第２支流路を有し、各前記第２支流路により各室内空間の空気を取り出して前記外気流路に合流させる還気流路と、を備える空気調和システム。
【請求項２】
前記外気流路の前記顕熱交換器よりも上流側に配置され、顕熱及び潜熱の交換を行う全熱交換器と、
複数の室内空間ごとに対応した第３支流路を有し、各前記第３支流路により各室内空間の空気を取り出して前記全熱交換器に導いた後、室外に排出する排出流路と、をさらに備える請求項１に記載の空気調和システム。
【請求項３】
各前記第１支流路及び各前記第２支流路に、風量調整ダンパーが設けられている請求項１又は２に記載の空気調和システム。
【請求項４】
各室内空間の天井、壁及び床のいずれかに設置された放射パネルをさらに備える請求項１〜３のいずれかに記載の空気調和システム。
【発明の詳細な説明】
【技術分野】
【０００１】
本発明は、空気調和システムに関する。
【背景技術】
【０００２】
従来、室内空間の温度や湿度を適正に保つ方法として種々の設備が提案されており、例えば、図３に示す空気調和システムが知られている（特許文献１を参照）。
【０００３】
図３に示す空気調和システム１００は、全熱交換器１０１、顕熱交換器１０２及び調湿装置１０３を備えている。また、この空気調和システム１００は、全熱交換器１０１、顕熱交換器１０２、調湿装置１０３、顕熱交換器１０２、室内空間Ｓ、全熱交換器１０１の順に室外空気を流送する流路１０４を備えている。全熱交換器１０１では、室外から導かれた室外空気と室内空間Ｓから導かれた室内空気との間で顕熱及び潜熱の交換が行われ、顕熱交換器１０２では、全熱交換器１０１を通過した室外空気と調湿装置１０３を通過して湿度が調整された空気との間で顕熱の交換が行われる。また、調湿装置１０３では、顕熱交換器１０２から導かれた室外空気に対して、除湿又は加湿が行われる。空気の除湿を行う場合には、調湿装置１０３が備える冷媒コイル１０５内に低温冷媒を流すことによって、この冷媒コイル１０５の外表面を通過する空気を過冷却し、空気中に含まれる湿気を凝縮させることにより除湿が行われる。また、空気の加湿を行うには、調湿装置１０３が備える加湿器１０６の作用により空気中に水蒸気を付与することにより加湿が行われる。
【０００４】
空気調和システム１００は、上記構成により、例えば、夏季における除湿運転時では、顕熱交換器１０２が、全熱交換器１０１を通過した室外空気と、調湿装置１０３を通過した低温低湿の空気との間で顕熱交換を行うため、室内空間Ｓに供給される空気を湿気の少ない状態に維持したまま再熱して適度な温度とすることができる。一方で、冬季における加湿運転時では、顕熱交換器１０２が、全熱交換器１０１を通過した室外空気と、調湿装置１０３を通過した高温多湿の空気との間で顕熱交換を行うため、室内空間Ｓに供給される空気を湿気の多い状態に維持したまま冷却して適度な温度とすることができる。
【先行技術文献】
【特許文献】
【０００５】
【特許文献１】特開２００８−１６４２５２号公報
【発明の概要】
【発明が解決しようとする課題】
【０００６】
例えば夏季において、上記構成の空気調和システム１００を稼働させると、調湿、調温された室外空気の導入により室内空間Ｓが換気されるとともに適した湿度、温度に調整される。しかしながら、上記構成の空気調和システム１００は、空調の立ち上がりが遅いため、空調が長時間停止して室温がかなり高くなった状態の室内空間Ｓでは、室内空間Ｓを適した湿度、温度に調整するのに時間を要するという課題がある。
【０００７】
本発明は、上記した課題に着目してなされたものであり、室内空間を適した湿度及び温度に素早く調整することができる空気調和システムを提供することを目的とする。
【課題を解決するための手段】
【０００８】
本発明の上記目的は、複数の室内空間の空調を行う空気調和システムであって、顕熱の交換を行う顕熱交換器と、空気の湿度及び温度を調整する調湿装置と、室外の空気を前記顕熱交換器及び前記調湿装置に導く外気流路と、複数の室内空間ごとに対応した第１支流路を有し、前記調湿装置を通過した空気を前記顕熱交換器に導いた後、各前記第１支流路により各室内空間に導く給気流路と、複数の室内空間ごとに対応した第２支流路を有し、各前記第２支流路により各室内空間の空気を取り出して前記外気流路に合流させる還気流路と、を備える空気調和システムにより達成される。
【０００９】
本発明に係る空気調和システムは、前記外気流路の前記顕熱交換器よりも上流側に配置され、顕熱及び潜熱の交換を行う全熱交換器と、複数の室内空間ごとに対応した第３支流路を有し、各前記第３支流路により各室内空間の空気を取り出して前記全熱交換器に導いた後、室外に排出する排出流路と、をさらに備えることが好ましい。
【００１０】
また、本発明に係る空気調和システムは、各前記第１支流路及び各前記第２支流路に、風量調整ダンパーが設けられていることが好ましい。
【００１１】
また、本発明に係る空気調和システムは、各室内空間の天井、壁及び床のいずれかに設置された放射パネルをさらに備えることが好ましい。
【発明の効果】
【００１２】
本発明の空気調和システムによると、各室内空間を適した湿度及び温度に素早く調整することができる
【図面の簡単な説明】
【００１３】
【図１】本発明の一実施形態に係る空気調和システムの概略構成図である。
【図２】本発明の他の実施形態に係る空気調和システムの概略構成図である。
【図３】従来例の空気調和システムの概略構成図である。
【発明を実施するための形態】
【００１４】
以下、本発明の実施形態について、添付図面を参照しながら説明する。図１は、本発明の一実施形態に係る空気調和システム１の概略構成を示している。
【００１５】
本実施形態に係る空気調和システム１は、各種建物内における複数（図示例では３つ）の室内空間Ｓ１〜Ｓ３の湿度、温度を調整（調湿、調温）するシステムであって、顕熱及び潜熱を交換可能な全熱交換器２、顕熱のみを交換可能な顕熱交換器３、及び、空気の湿度及び温度を調整する調湿装置４を備えている。
【００１６】
また、空気調和システム１は、各室内空間Ｓ１〜Ｓ３を調湿、調温するとともに室内空間Ｓを換気するサイクルを構築するために、外気流路５、給気流路６、還気流路７及び排気流路８をさらに備えている。なお、図１中において、ＯＡは室外から調湿装置４に引き込まれる空気を指し、ＳＡは調湿装置４から各室内空間Ｓ１〜Ｓ３に送り込まれる空気を指し、ＲＡは各室内空間Ｓ１〜Ｓ３から調温装置４に循環される空気を指し、ＥＡは各室内空間Ｓ１〜Ｓ３から室外へ送り出される空気を指す。また、図１中において、符号９Ａ〜９Ｃはそれぞれ外気流路５、排気流路８及び外気流路５に接続されたファン（送風機）であり、符号１０及び１１は各室内空間Ｓ１〜Ｓ３に設けられた温度センサ及び湿度センサである。なお、ファン９Ａは、外気流路５の全熱交換器２の上流側に配置され、ファン９Ｃは、外気流路５の還気流路７との合流部よりも下流側であって顕熱交換器３の上流側に配置されている。
【００１７】
外気流路５は、室外空気を全熱交換器２、顕熱交換器３及び調湿装置４の順に導くラインであり、全熱交換器２に室外空気を導いた後、顕熱交換器３に全熱交換後の室外空気を導き、顕熱交換後の室外空気を調湿装置４に導く。外気流路５には、送風量を制御する風量調整ダンパー（電動ダンパー）１５が、全熱交換器３の下流側であって還気流路７との合流部よりも上流側に設けられている。
【００１８】
給気流路６は、調湿装置４で温度や湿度が調整された空気（調和空気）を顕熱交換器３を介して室内空間Ｓ１〜Ｓ３に供給するラインである。給気流路６は、顕熱交換器３よりも下流側が複数（図示例では３つ）の第１支流路６０に分岐している。第１支流路６０は、複数の室内空間Ｓ１〜Ｓ３ごとに対応して設けられており、給気流路６は、調湿装置４及び顕熱交換器３を通過した調和空気をそれぞれ第１支流路６０により各室内空間Ｓ１〜Ｓ３に導く。各第１支流路６０には、送風量を制御する風量調整ダンパー（電動ダンパー）１３がそれぞれ設けられている。
【００１９】
還気流路７は、室内空間Ｓ１〜Ｓ３の空気を外気流路５に導くことで顕熱交換器３を介して調湿装置４に供給するラインである。還気流路７は、分配器１９Ａを介して複数の第２支流路７０が合流している。第２支流路７０は、複数の室内空間Ｓ１〜Ｓ３ごとに対応して設けられており、還気流路７は、各室内空間Ｓ１〜Ｓ３の空気をそれぞれ第２支流路７０により取り出して外気流路５に循環させる。各第２支流路７０には、送風量を制御する風量調整ダンパー（電動ダンパー）１２がそれぞれ設けられている。
【００２０】
排気流路８は、室内空間Ｓ１〜Ｓ３の空気を全熱交換器２を介して室外に排出するラインである。排気流路８は、分配器１９Ｂを介して複数の第３支流路８０が合流している。第３支流路８０は、複数の室内空間Ｓ１〜Ｓ３ごとに対応して設けられており、排気流路８は、各室内空間Ｓ１〜Ｓ３の空気をそれぞれ第３支流路８０により取り出して全熱交換器２に導いた後、室外に排出する。各第３支流路８０には、送風量を制御する風量調整ダンパー（電動ダンパー）１４がそれぞれ設けられている。
【００２１】
各風量調整ダンパー１２〜１５は、例えばバタフライ弁方式であり、モータなどのアクチュエータ（図示せず）で開度が制御される。
【００２２】
全熱交換器２は、外気流路５により導かれた室外空気と、排気流路８により導かれた室内空間Ｓの空気との間で、顕熱及び潜熱の熱交換を行う装置である。
【００２３】
顕熱交換器３は、外気流路５により導かれ全熱交換器２を通過した室外空気と、調湿装置４を通過し給気流路７により導かれた調和空気との間で顕熱の熱交換を行う装置である。
【００２４】
調湿装置４は、室内空間Ｓ１〜Ｓ３へ供給する空気の湿度、温度を調整する装置であり、冷媒コイル４０及び加湿器４１を備えている。冷媒コイル４０は、表面を通過する空気と内部を流れる冷媒との間で熱交換を行って空気を加熱又は冷却する装置である。加湿器４１は、水道水などの水を気化させて空気中の湿度を高める装置であり、例えば気化式加湿器を用いることができる。この加湿器４１は、必要に応じて作動されるものであり、例えば、夏季などにおいて空気の加湿が不要な場合には、加湿器４１を作動させることなく、冷媒コイル４０を通過した空気は加湿器４１を通過して顕熱交換器３に導かれる。
【００２５】
ファン９Ａ〜９Ｃは、それぞれ外気流路５の全熱交換器２、排気流路８、外気流路５の顕熱交換器３に空気を取り込んで送風する装置である。
【００２６】
上述した加湿装置４の動作制御（冷媒コイル４０に供給する冷媒の温度・流量などの制御、加湿器４１の動作制御）、ファン９Ａ〜９Ｃの動作制御、各風量調整ダンパー１２〜１５の開閉制御などは、制御装置１６により行われる。制御装置１６は、各室内空間Ｓ１〜Ｓ３の温度や湿度を温度センサ１０及び湿度センサ１１により監視し、各室内空間Ｓ１〜Ｓ３に設けられた操作パネル１７からの指示により各装置を制御することで、各室内空間Ｓ１〜Ｓ３を所望の環境とすることができる。
【００２７】
次に、本実施形態の空気調和システム１における通常の調湿運転、具体的には夏季の除湿運転及び冬季の加湿運転について説明する。この除湿運転及び加湿運転では、全てのファン９Ａ〜９Ｃを作動させている。なお、ファン９Ｃの送風量が大きければ、ファン９Ａを停止又は省略可能である。
【００２８】
最初に、夏季における除湿運転について説明する。まず、室外空気は、外気流路５により全熱交換器２に導かれる。この室外空気は、排気流路８を介して全熱交換器２に導かれる室内空間Ｓ１〜Ｓ３の空気との間で全熱交換を行う。夏季の室外空気は高温多湿であり、室内空間Ｓ１〜Ｓ３の空気は室外空気よりも温度及び湿度が低いため、室外空気は、全熱交換器２における熱交換により温度及び湿度が低下した状態となる。
【００２９】
次に、温度及び湿度が低下した室外空気は、外気流路５により顕熱交換器３に導かれ、調湿装置４を通過した調和空気との間で顕熱交換を行う。調湿装置４を通過した調和空気は、後述のように低温かつ低湿度であるため、全熱交換器２から導かれた室外空気は、顕熱交換器３における熱交換により冷却され、絶対湿度を維持したまま温度のみが更に低下した状態となって、調湿装置４に導かれる。
【００３０】
調湿装置４において、冷房除湿運転を行う場合には、冷媒コイル４０に低温冷媒（冷水も含む）を供給して、冷媒コイル４０を冷却コイルとして機能させる。これにより、顕熱交換器３から送り込まれた空気が冷媒コイル４０の表面にて過冷却される結果、空気中に含まれる水分（湿気）が凝縮して凝縮水となるため、冷媒コイル４０を通過した空気は、低温かつ絶対湿度が低い空気となる。除去された水分（湿気）は、図示しないドレンから外部に排出される。なお、除湿運転時においては、加湿器４１を作動させずに、冷媒コイル４０を通過した空気は、そのまま調湿装置４を通過する。
【００３１】
調湿装置４で調整された低温低湿の空気は、給気流路６により顕熱交換器３に導かれ、上述した顕熱交換器３における熱交換により加熱され、低湿度を維持したまま温度のみが適度に上昇した状態となって、各室内空間Ｓ１〜Ｓ３に供給される。これにより、各室内空間Ｓ１〜Ｓ３の空気の湿度を下げることができるとともに温度を下げることができる。
【００３２】
各室内空間Ｓ１〜Ｓ３の空気は、排気流路８により室外に排出されるが、排出前に全熱交換器２において外気流路５により導かれた室外の空気との間で全熱交換を行うことにより、温度及び湿度が高められた状態で室外に排出される。なお、各室内空間Ｓ１〜Ｓ３の空気の一部は、還気流路７に取り込まれて外気流路５に循環され、顕熱交換器３及び調湿装置４を通過して調湿、調温された後、再び各室内空間Ｓ１〜Ｓ３へ供給される。
【００３３】
次に、冬季における加湿運転について説明する。まず、室外の空気は、外気流路５により全熱交換器２に導かれる。この室外空気は、排気流路８を介して全熱交換器２に導かれる室内空間Ｓ１〜Ｓ３の空気との間で全熱交換を行う。冬季の室外空気は低温低湿であり、室内空間Ｓ１〜Ｓ３の空気は室外空気よりも温度及び湿度が高いため、室外空気は、全熱交換器２における熱交換により温度及び湿度が高められた状態となる。
【００３４】
次に、温度及び湿度が高められた室外空気は、外気流路５により顕熱交換器３に導かれ、調湿装置４を通過した調和空気との間で顕熱交換を行う。調湿装置４を通過した調和空気は、後述のように高温かつ高湿度であるため、全熱交換器２から導かれた室外空気は、顕熱交換器３における熱交換により加熱され、絶対湿度を維持したまま温度のみが更に高められた状態となって、調湿装置４に導かれる。
【００３５】
調湿装置４において、加湿運転を行う場合には、冷媒コイル４０に高温冷媒（温水も含む）を供給して、冷媒コイル４０を加熱コイルとして機能させるとともに、加湿器４１により空気中に水蒸気を付加する。これにより、顕熱交換器３から送り込まれた空気が冷媒コイル４０の表面にて加熱された後、加湿器４１により水蒸気の供給を受ける結果、高温かつ絶対湿度が高い空気となる。
【００３６】
調湿装置４で調整された高温多湿の空気は、給気流路６により顕熱交換器３に導かれ、上述した顕熱交換機３における熱交換により冷却され、高湿度を維持したまま温度のみが適度に低下した状態で各室内空間Ｓ１〜Ｓ３に供給される。これにより、各室内空間Ｓ１〜Ｓ３の空気の湿度を上げることができるとともに温度を上げることができる。
【００３７】
各室内空間Ｓ１〜Ｓ３の空気は、排気流路８により室外に排出されるが、排出前に全熱交換器２において外気流路５により導かれた室外空気との間で全熱交換を行うことにより、温度及び湿度が低下した状態で室外に排出される。なお、各室内空間Ｓ１〜Ｓ３の空気の一部は、還気流路７に取り込まれて外気流路５に循環され、顕熱交換器３及び調湿装置４を通過して調湿、調温された後、再び各室内空間Ｓ１〜Ｓ３へ供給される。
【００３８】
上述した調湿運転においては、除湿運転及び加湿運転のいずれにおいても、調湿装置４の冷媒コイル４０に供給する冷媒の温度・流量などを制御することにより、調湿装置４を通過し顕熱交換器３に導かれる空気の湿度、温度を変化させることができる。そのため、各室内空間Ｓ１〜Ｓ３に供給される空気の湿度、温度の制御を容易に行うことができ、各室内空間Ｓ１〜Ｓ３を適当な湿度、温度に設定することができる。そのうえ、各室内空間Ｓ１〜Ｓ３は、各室内空間Ｓ１〜Ｓ３に居住する人間が発する熱や水蒸気、二酸化炭素、配置されるパソコン、オーディオ設備などが発する熱の影響を長時間受けると、空気環境が悪化するが、各室内空間Ｓ１〜Ｓ３の空気が排気流路８により室外に排出されるとともに、室外の新鮮な空気が外気流路５及び給気流路６により各室内空間Ｓ１〜Ｓ３に取り入れられるので、各室内空間Ｓ１〜Ｓ３の換気を行うことができる。
【００３９】
以上のように、本実施形態の空気調和システム１によれば、従来の図３に示す空気調和システム１００と同様に、高い省エネルギー効果を得て各室内空間Ｓ１〜Ｓ３の調湿、調温及び換気を容易に行うことができる。
【００４０】
そのうえ、本実施形態の空気調和システム１によれば、各室内空間Ｓ１〜Ｓ３の湿度を空間ごとに個別に所望の湿度に調整することができる。つまり、室内空間Ｓ１〜Ｓ３に供給される空気の湿度は、調湿装置４の冷媒コイル４０の温度を制御することにより調整されるが、単に従来の図３に示す空気調和システム１００により複数の室内空間Ｓ１〜Ｓ３の空調を行うように構成しても、全ての空間を同条件で制御することになり、個別に制御することができない。これに対して、本実施形態の空気調和システム１では、還気流路７の各第１支流路７０に設けられた風量調整ダンパー１２及び給気流路６の各第２支流路６０に設けられた風量調整ダンパー１３の開度を制御し、各室内空間Ｓ１〜Ｓ３から個別に取り出して再び各室内空間Ｓ１〜Ｓ３に戻す空気の風量を調整することにより、各室内空間Ｓ１〜Ｓ３の湿度を個別に調整することができる。よって、制御装置１６が、各室内空間Ｓ１〜Ｓ３に設けられた操作パネル１７からの指示により、各室内空間Ｓ１〜Ｓ３の湿度及び／又は温度に基づいて各機器を制御することで、室内空間Ｓ１〜Ｓ３ごとに湿度を所望の湿度とすることができる。
【００４１】
また、本実施形態の空気調和システム１によれば、各室内空間Ｓ１〜Ｓ３の空気は、還気流路７により外気流路５に循環され、顕熱交換器３及び調湿装置４に導かれて調湿、調温され、各室内空間Ｓ１〜Ｓ３に戻されるように構成されている。そのため、例えば夏季において、空調が長時間停止していて温度がかなり高くなった状態の各室内空間Ｓ１〜Ｓ３について、素早く冷却することができる。この点について以下に説明する。
【００４２】
従来の図３に示す空気調和システム１００では、例えば夏季においては、調湿装置１０３で低温低湿の空気が生成されるので、室内空間Ｓに供給される空気は湿度が低い状態であるが、温度は顕熱交換器１０２での熱交換により高い状態（例えば２５℃〜２８℃程度）となっている。また、従来の図３に示す空気調和システム１００では、換気と調湿、調温とが必ず連動しており、調湿、調温された外気が室内空間Ｓに供給されることで、室内空間Ｓの温度が調整されている。そのため、空調の立ち上がりが遅く、室内空間Ｓを冷却するのに時間を要する。このような事態を回避し、室内空間Ｓの温度を快適な状態に素早く冷却するためには、調湿装置１０３で生成される空気の温度をさらに低下させる必要があるが、冷媒コイル１０５の作動負荷が増大してエネルギー効率が悪いものになる。
【００４３】
これに対して、本実施形態の空気調和システム１では、調湿、調温が換気と独立していることから、室内空間Ｓ１〜Ｓ３の調湿、調温のみを行うことができる。つまり、本実施形態の空気調和システム１では、ファン９Ａ,９Ｂを停止させることで、外気流路５による室外空気の取り込み及び排気流路８による室内空間Ｓ１〜Ｓ３の空気の排出を止め（つまりは換気を止め）、ファン９Ｃのみを作動させることで、還気流路７により室内空間Ｓ１〜Ｓ３の空気だけを調湿装置４へ導いて、調湿、調温した後、給気流路６により調和空気を室内空間Ｓ１〜Ｓ３へ戻すことができる。このように、室内空間Ｓ１〜Ｓ３の高温多湿の空気を直接、調湿装置４に供給して調湿、調温し、低温低湿とした空気を室内空間Ｓ１〜Ｓ３に供給する結果、空調の立ち上がりが早くなる。そのため、室内空間Ｓ１〜Ｓ３の温度がかなり高くなった状態であっても、調湿装置４（冷媒コイル４０）の作動負荷を増大させることなく、素早く室内空間Ｓ１〜Ｓ３を冷却することができる。この結果、高い省エネルギー効果を得ることができ、システム全体のランニングコストを低減させることができる。
【００４４】
その後、室内空間Ｓ１〜Ｓ３の温度がある程度（所定の温度まで）低下すると、ファン９Ａ,９Ｂを稼働させ、全熱交換器２及び顕熱交換器３への室外空気の取り込みを開始することで、室内空間Ｓ１〜Ｓ３を快適な湿度、温度状態に維持できるとともに、室内空間Ｓ１〜Ｓ３の換気を行うことができる。
【００４５】
同様に、冬季における温度がかなり低くなった状態の室内空間Ｓ１〜Ｓ３についても、ファン９Ａ〜９Ｃの動作を制御することにより、素早く室内空間Ｓ１〜Ｓ３を加熱することができる。
【００４６】
なお、還気流路７の各第１支流路７０に設けられた風量調整ダンパー１２及び給気流路６の各第２支流路６０に設けられた風量調整ダンパー１３の開閉を制御することで、所望の室内空間Ｓ１〜Ｓ３についてのみ、上述した空調の立ち上がりを早くする運転を行うことができる。
【００４７】
この空調の立ち上がりを早くする運転において、ファン９Ａが省略されている場合は、風量調整ダンパー１５を閉じることで、外気流路５による室外空気の取り込みを止めることができ、風量調整ダンパー１５を閉じることで、外気流路５による室外空気の取り込みを開始することができる。
【００４８】
以上、本発明の一実施形態について詳述したが、本発明の具体的な態様は上記実施形態に限定されない。例えば、上記実施形態の空気調和システム１において、図２に示すように、放射パネル１８を併用して各室内空間Ｓ１〜Ｓ３の空調を行うように構成してもよい。放射パネル１８は、各室内空間Ｓ１〜Ｓ３の天井、壁及び床のいずれかに設置することができるが、図２では天井に設置されている。
【００４９】
放射パネル１８は、冷媒としての冷水又は温水が流通する流通管１８０と、室内空間Ｓ１〜Ｓ３の天井を構成するパネル本体１８１とを備えており、流通管１８０及びパネル本体１８１は溶接などによって接合されている。流通管１８０は、図示は省略するが、平面視でジグザグ状に蛇行しており、平行に延びる複数本の直線部と、隣り合った直線部を連続させる湾曲部とからなるものである。流通管１８０の両端のうち、一方は冷媒の流入口であり、他方は冷媒の流出口であり、それぞれ配管（図示せず）を介して例えば２０℃〜２６℃の冷温水を供給可能な冷凍機（図示せず）に接続されている。
【００５０】
この図２に示す実施形態の空気調和システム１では、放射パネル１８に供給される冷温水の流量及び温度の制御により、パネル本体１８１の表面温度を所望の温度に一定に保つことができる。これにより、放射パネル１８が室内空間Ｓ１〜Ｓ３に滞在する人間が発する熱や配置されるパソコン、オーディオ設備などが発する熱を効率よく直接吸収する。よって、各室内空間Ｓ１〜Ｓ３の人口密度や滞在する人のエネルギー代謝（放熱量）、設備稼働状況などに応じて放射パネル１８による放射空調（パネル本体１６１の表面温度）を個別に調整することで、各室内空間Ｓ１〜Ｓ３を適切に調温することができる。よって、図２に示す実施形態の空気調和システム１では、調湿を空気調和システム１で行うとともに調温を放射パネル１８により行うことで、各室内空間Ｓ１〜Ｓ３をさらに快適な環境にすることができる。なお、放射パネル１８としては従来から公知のものを用いることができる。
【００５１】
また、上述したいずれの実施形態の空気調和システム１においても、全熱交換器２を備えており、外気流路５により導かれた室外空気と、排気流路８により導かれた室内空間Ｓ１〜Ｓ３の空気との間で顕熱及び潜熱の交換が行われることで、室内空間Ｓ１〜Ｓ３から室外に排出される空気の持つ熱エネルギーを有効的に利用して、室外空気が有する温度や湿度を所望の状態に調整して顕熱交換器３に導き、これにより、顕熱交換器３の作動負荷を低減させている。ただし、この全熱交換器２を省いた構成を採用することも可能である。
【符号の説明】
【００５２】
１    空気調和システム
２    全熱交換器
３    顕熱交換器
４    調湿装置
５    外気流路
６    給気流路
７    還気流路
８    排気流路
１２  風量調整ダンパー
１３  風量調整ダンパー
１４  風量調整ダンパー
１８  放射パネル
６０  第１支流路
７０  第２支流路
８０  第３支流路
Ｓ１〜Ｓ３  室内空間
【図１】
2018096664.tif 000003
【図２】
2018096664.tif 000004
【図３】
2018096664.tif 000005